(57)【要約】      （修正有）【課題】カブセブタ式と呼ばれる化粧紙を表面に貼られた貼箱に於いて、貼箱としての外観や強度を落とすことなく、折り畳み、組み立てが極めて簡単に出来る貼箱を提供する。【解決手段】三角形のサイドフラップ８、９を側板４の両端辺とサイドフラップとの間を覆う化粧紙３２、３３ごと押さえフラップ６、７と側板４の間に挟み込み、該押さえフラップと該側板の内側に設けた面ファスナー２６、２７で固定する折り畳み、組み立て可能な貼箱とする。【選択図】図１２
0003126783.tif 000002
【実用新案登録請求の範囲】
【請求項１】
厚い板紙を構造材とする四角形の底板（又は天板）とその四辺から直角に立ち上がった相対する側壁を有する直方筐体の表面全体を化粧紙で上貼りした貼箱において、底板（又は天板）１の四辺から延設された側板２、３、４、５に於いて、相対する長辺側の側板２、３の両端辺２２、２３、２４、２５に、該端辺を一辺とする略直角二等辺三角形のサイドフラップ８、９、１０、１１をその底辺４０、４１、４２、４３、を側板４、５の両端辺４４、４５、４６、４７に４５°の角度に向けて延設し、底板（又は天板）１の短辺側に延設された側板４、５の先端には押さえフラップ６、７を延設した基材Ｐ１に、化粧紙である基材Ｐ２を基材Ｐ１の片面側から底板（又は天板）１及び側板２、３、４、５の全表面を覆い、更にサイドフラップ８、９、１０、１１をそれぞれ略覆い、さらに各サイドフラップの二等辺三角形の底辺に相当する端辺４０、４１、４２、４３と側板４、５の両端辺４４、４５、４６、４７に挟まれる基材Ｐ１の存在しない部分を略全域化粧紙の基材Ｐ２が覆うように両基材を貼合し、側板４と押さえフラップ６及び側板５と押さえフラップ７にはそれぞれの折り筋１７、２０で内側に折り曲げた時、表面どうしが接触し、圧力で絡み合い接着力を発揮する面ファスナー２６、２７、２８、２９を設けた事を特徴とする組み立て式貼箱。
【請求項２】
上記請求項１において、基材Ｐ１と基材Ｐ２を貼り合わせた時、基材Ｐ２が基材Ｐ１を覆わない部分３２、３３、３４、３５を側板４、５の内側両端に接着固定した事を特徴とする組み立て式貼箱。
【考案の詳細な説明】
【技術分野】
【０００１】
本考案は、組み立て式貼箱に関する。
【背景技術】
【０００２】
貼箱で最も一般的なカブセブタ式は、チップボール、裏白チップボール等の厚板紙を罫線により直角に折り曲げ、立ち上げたコーナーを熱止紙テープ等で接合し筐体を作り、化粧紙を表面全体に上貼りして作られる。厚板紙を素材にした上に、四隅止めし、その上に化粧紙を上貼りするため、大変堅牢である。又、立体的形状である上、化粧紙によって全表面が覆われているため高級感があり、贈答品用容器、高級商品用容器、和菓子容器、土産物容器などとして以前より広く使われている。
【０００３】
貼箱は上に述べたように、筐体の四隅がテープ等で接合されており、さらに化粧紙でこの四隅もくるまれてしまうため強度が得られるが、反面、組み立てたり、折り畳んだりする事には極めて不向きな箱である。近年、容器の輸送、保管を便利にするため、打ち抜いたままの平らなブランクシートから、糊を使わずに組み立てによって箱にする組み立て箱や、コーナーに糊付けしながら４５°の角度の筋で、つぶれた状態に折り畳み、引き起こすと直方体の箱になる折り畳み箱などが貼箱に代わって多く使われるようになってきた。
しかし、これら組み立て箱及び折り畳み箱は、複雑な折り構造となるため、素材が貼箱に使われるチップボールよりかなり薄い紙しか選択出来ず、結果として貼箱の強度と、化粧紙の綺麗さは得ることができない。ただし、容器の輸送、保管の便利さ、コストの安さから強度があり、綺麗な貼箱に急速に置き換わりつつある。
【０００４】
これに対して、最近では貼箱でも何とか組み立てたり、折り畳んだり出来ないだろうかとの取り組みが行われ始めた。特に、貼箱の一種であり、本の表紙に相当するものが蓋となる所謂ブック形式にその試みが見られる（特許文献１，２）。しかし貼箱を代表するカブセブタ方式での実用的提案は見られない。天面又は底面側コーナー頂点から側壁に４５°にハーフカットを入れ、強引に折り畳む事も試みられているが、側壁に折り筋を入れるなど、綺麗さを売りにする貼箱本来の目的から逸脱するものであり、実用化されていない。
【特許文献１】実開平６−２５１１１
【特許文献２】実開平７−３１６１２
【考案の開示】
【考案が解決しようとする課題】
【０００５】
本考案が解決しようとしている課題は、カブセブタ式と呼ばれる化粧紙を表面に貼られた貼箱に於いて、貼箱としての外観や強度を落とすことなく、折り畳み、組み立てが極めて簡単に出来る貼箱を提供する事にある。
【課題を解決するための手段】
【０００６】
第一の課題解決手段は、厚い板紙を構造材とする四角形の底板（又は天板）とその四辺から直角に立ち上がった相対する側壁を有する直方筐体の表面全体を化粧紙で上貼りした貼箱において、底板（又は天板）１の四辺から延設された側板２、３、４、５に於いて、相対する長辺側の側板２、３の両端辺２２、２３、２４、２５に、該端辺を一辺とする略直角二等辺三角形のサイドフラップ８、９、１０、１１をその底辺４０、４１、４２、４３、を側板４、５の両端辺４４、４５、４６、４７に４５°の角度に向けて延設し、底板（又は天板）１の短辺側に延設された側板４、５の先端には押さえフラップ６、７を延設した基材Ｐ１に、化粧紙である基材Ｐ２を基材Ｐ１の片面側から底板（又は天板）１及び側板２、３、４、５の全表面を覆い、更にサイドフラップ８、９、１０、１１をそれぞれ略覆い、さらに各サイドフラップの二等辺三角形の底辺に相当する端辺４０、４１、４２、４３と側板４、５の両端辺４４、４５、４６、４７に挟まれる基材Ｐ１の存在しない部分を略全域化粧紙の基材Ｐ２が覆うように両基材を貼合し、側板４と押さえフラップ６及び側板５と押さえフラップ７にはそれぞれの折り筋１７、２０で内側に折り曲げた時、表面どうしが接触し、圧力で絡み合い接着力を発揮する面ファスナー２６、２７、２８、２９を設けた組み立て式貼箱とする。
【０００７】
第二の課題解決手段は、第一の課題解決手段において、基材Ｐ１と化粧紙Ｐ２を貼り合わせて時、化粧紙Ｐ２が基材Ｐ１を覆わない部分３２、３３、３４、３５を側板４、５の内側両端に接着固定した組み立て式貼箱とする。
【考案の効果】
【０００８】
第一の課題解決手段による作用は次の通りである。即ち、面ファスナー２６、２７、２８、２９が接着された状態の基材Ｐ１に化粧紙である基材Ｐ２が貼られた状態から、側板２、３をサイドフラップ８、９、１０、１１及び化粧紙部３２、３３、３４、３５と共に底板（又は天板）１に折り筋１４、１５を介して折り倒し（図９）、この上に押さえフラップ６、７を折り筋（又はハーフカット）１７、２０を介して折り倒すと面ファスナー２６と２７及び２８と２９が圧力で面接着をして押さえフラップ６、７がサイドフラップ８、９、１０、１１を押さえ込み、側板２、３も動きが封じられる（図１０、図１１）。
【０００９】
この状態は厚い板紙を基材にした貼箱を強引に折り畳んだ状態であり、本考案にしてこの強引な折り畳みを維持できる。この図１０、図１１は貼箱にして折り畳まれる事を示しており、更にこの状態から一瞬にして箱に組み立てられる直前状態で、貼箱でありながら輸送、保管にスペースをとらない折り畳めるという大きなメリットを有する。
【００１０】
図１０、図１１の状態から、押さえフラップ６、７を図１１に示す矢印方向に指で立ち上げ（面ファスナー接着を剥がす）、図１２で示す如く、側板２、３を矢印方向に立ち上げ、押さえフラップ６、７を矢印の方向に、化粧紙の貼られたサイドフラップ８、９，１０、１１を側板４、５との間に入れながら指で押し倒すと、図１３、図１４に示す如く、面ファスナー２６と２７及び２８と２９が圧力で面接着をして該サイドフラップをしっかりと押さえ込み、図１４に示すような貼箱が簡単に出来上がる。ここまでの説明で分かる通り、面ファスナー２６、２７、２８、２９は、本貼箱の折り畳み状態でも、組み立て状態でも、どちらにも状態を固定し、維持するために使われ、かつ箱に組み立て後は、面ファスナーは完全に隠れてしまい、その存在する分からないようになる。
【００１１】
組み立てにより、側板４と押さえフラップ６の間にはサイドファラップ８、９が、側板５と押さえフラップ７との間にはサイドフラップ１０、１１がそれぞれ挟み込まれるが、その事によって両サイドフラップの中間にサイドフラップ（化粧紙も含む）分の厚み空間が発生し、そこに面ファスナーを丁度設ける事が出来る。又略二等辺三角形のサイドフラップは長辺側の側板の両端辺２２、２３、２４、２５にしか設けない事により、側板４、５と押さえフラップ６、７の間に挟まねばならないサイドフラップは基材Ｐ１の厚紙１枚分の厚さ（実際には、薄い化粧紙も含む）で済むため、組み立て後の箱の姿に不自然さはない。短辺側の側板４、５にもサイドフラップが付いていた場合は、側板４、５と押さえフラップ６、７との間には厚い板紙２枚を挟む事になり、貼箱としての外観は非常に悪くなる、又、各サイドフラップと短辺側の側板４、５の両端辺との間にも化粧紙３２、３３、３４、３５を設ける事により、サイドフラップの押さえフラップによる挟み込みにより、側板４、５の両端辺４４、４５、４６、４７の断面を化粧紙が包み込む事となり、貼箱で最も嫌う板紙の断面が外観として現れないようになる。勿論、外観上大事な側板表面には、斜めの折り筋や、切り込みのない、高級感のある、そして強度のある貼箱が簡単に組み立てられる。
【００１２】
第二の課題解決手段による作用は次の通りである。即ち、化粧紙３２、３３、３４、３５を側板４、５の両端辺４４、４５、４６、４７から側板４、５に接着固定する事により側板２、３及びサイドフラップ８、９、１０、１１を内側に折り畳み、その上から押さえフラップ６、７で押さえ込んだ折り畳み状態から、箱に組み立てる時、押さえフラップを手で引き起こすと、側板２、３は当然折りの反発力で自動的に立ち上がり、更にサイドフラップ８、９、１０、１１が自動的に押さえフラップと側板４、５の間に入ってくるため、組み立てがさらに非常に簡単になる。
【００１３】
以上の説明で分かる通り、本考案によれば、高級感や強度という貼箱の特性を失わずに、今までの貼箱では達成出来なかった、折り畳み、組み立てが簡単な貼箱を提供する事になる。従来の貼箱は折り畳む事が出来なかったため、輸送、保管には大きな問題があったが
見事にこの問題を解決した。
【考案を実施するための最良の形態】
【００１４】
以下、本考案の実施例を図面に基づいて詳述する。図１は本考案による組み立て式貼箱
の基材となる片面白チップボール紙（４５０g／m2）の白面上の打ち抜き平面図である。側板４と押さえフラップ６及び側板５と押さえフラップ７中央にはセットで面ファスナー（吉岡株式会社製ソフピタ薄手）を接着固定してある。面ファスナーを含め基材Ｐ１と呼ぶ。面ファスナーの大きさは折り筋の反発力、紙の種類、面ファスナーの接着力等で適宜決定する。折り筋１７及び２０は単なる折り筋ではなく、ハーフカットにすると押さえフラップの反発力を抑制できる。図２は基材Ｐ２の化粧紙の打ち抜き裏面図である。尚、本実施例では押さえフラップ６、７の先端には折り筋１６、１７を介して押さえフラップ安定板として１２、１３を延設しているが、無くても良い。
【００１５】
図３は、図１の基材Ｐ１を図２の基材Ｐ２の上に載せた状態を示す。図４は図３を裏返して化粧紙の基材Ｐ２の表側から見た状態を示す。化粧紙は基材Ｐ１の全側板及びサイドフラップを覆い、更に押さえフラップ６、７の一部を覆っている。次にこの押さえフラップ６、７以外の基材Ｐ１を基材Ｐ２の化粧紙と接着固定する。接着固定後の図面は図３、図４と同じである。
【００１６】
図５は、図３で側板２、３からはみ出している基材Ｐ２の化粧紙部分３０、３１を側板２、３の上に折り込み接着固定した状態を示す。図６は図５を裏返して見た図である。この状態では押さえフラップ６、７と基材Ｐ２の化粧紙は接着固定されていない。図７では図５の状態から押さえフラップ６、７のみ折り筋１７、１８を介して内側に折り畳んだ状態を示す。図７で残された基材Ｐ２の化粧紙部３６、３７を折り畳まれた押さえフラップ６、７の上に接着固定すると、図８の状態になる。
【００１７】
図９は、図８で化粧紙３６、３７が接着固定された押さえフラップ６，７の折り返しを元に戻して側板４、５と押さえフラップが折り筋１７、２０で伸ばされた状態にし、次に化粧紙３０、３１が内側に接着固定された側板２、３及び外側に化粧紙が貼られたサイドフラップを内側に折り倒した状態を示す（図９）。この時、化粧紙３２、３３、３４、３５を側板４、５端辺４４、４５、４６、４７をくるむように側板４、５の内側に接着固定したのが課題解決手段２となる。ここではこれを採用する。
【００１８】
図９のままでは側板２、３の折り筋１４、１５での反発が強くこの状態は維持出来ない。図１０は、この図９の状態から押さえフラップ６、７をサイドフラップの上から押さえ込み面ファスナー２６、２７及び２８、２９で接着固定した状態を示す。図１１は図１０の状態の斜視図を示す。即ち、図１１の折り畳み状態に示すごとく、ほぼフラットに折り畳まれ、保管、輸送に大変便利である。
【００１９】
これから先は、箱組み立てを示す。図１１の矢印に沿って押さえフラップの面ファスナーを引き剥がしながら立ち上げる様子を図１２に斜視図示する。図１２の状態になったら側板２、３（図１２では該側板に貼られた化粧紙３８、３９しか見えていない）を矢印の方向に立ち上げながら押さえフラップ６、７と側板４、５の間にサイドフラップ３２、３３、３４、３５を矢印の方向に挟み込むように内側に折りこむ。図１３は側板５側の押さえフラップ７の折り込みが終了し面フラップ２８、２９の接着により固定された様子を示す。側板４側はまだ終了していない様子を示す。図１４は側板４側の押さえフラップも折り込まれ、組み立て終了の状態を示す。図１５は図１４に於けるＸ−Ｘ断面を示すものである。押さえフラップ７が側板５との間にサイドフラップ１１を挟み、面ファスナー２８、２９が接着し固定している様子を示す。    
【図面の簡単な説明】
【００２０】
【図１】基材Ｐ１（面ファスナーの貼られた打ち抜きチップボール紙）平面図
【図２】基材Ｐ２（化粧紙）平面図
【図３】基材Ｐ２の上に基材Ｐ１を重ね合わせた平面図
【図４】図３の背面平面図
【図５】基材Ｐ１の側板２、３内側への返し貼り平面図
【図６】図５の背面平面図
【図７】押さえフラップ６、７の折り返し平面図
【図８】押さえフラップ６、７への基材Ｐ１の返し貼り平面図
【図９】側板２，３を内側に折り畳んだ平面図
【図１０】押さえフラップ６、７を内側に折り畳んだ平面図（折り畳み図）
【図１１】図１０の斜視図（折り畳み図）
【図１２】組み立て途中斜視図１
【図１３】組み立て途中斜視図２
【図１４】組み立て完成斜視図
【図１５】図１４のＸ−Ｘ断面図
【符号の説明】
【００２１】
１              底板（天板）
２〜５          側板
６、７          押さえフラップ
８〜１１        サイドフラップ
１２、１３      押さえフラップ安定板
１４〜２１      折り筋
２２〜２５      折り筋
２６〜２９      面ファスナー
３０、３１      化粧紙折り返し部
３２〜３５      化粧紙の基材Ｐ１なし部
３６、３７      化粧紙折り返し部
３８，３９      側板２、３の化粧紙部
４０〜４７      基材Ｐ１端辺
【図１】
0003126783.tif 000003
【図２】
0003126783.tif 000004
【図３】
0003126783.tif 000005
【図４】
0003126783.tif 000006
【図５】
0003126783.tif 000007
【図６】
0003126783.tif 000008
【図７】
0003126783.tif 000009
【図８】
0003126783.tif 000010
【図９】
0003126783.tif 000011
【図１０】
0003126783.tif 000012
【図１１】
0003126783.tif 000013
【図１２】
0003126783.tif 000014
【図１３】
0003126783.tif 000015
【図１４】
0003126783.tif 000016
【図１５】
0003126783.tif 000017